(57)【要約】【課題】ミニチュア化した製品を効果的に吊り下げ可能とすると共に、お守りや記念品、縁起物としての効力もあり、また芳香を発することも可能な吊り下げ小物を実現する。【解決手段】長方形状の複数の包みの左右両側同士を連結して梯子状に形成した物と、片結びしたサンと、を吊り下げ可能に構成して、吊り下げ小物として使用する。前記の包み中には、記念品や縁起物または芳香を発する物質を収納する。【選択図】　　　　　図５
2004042981.tif 000002
【特許請求の範囲】
【請求項１】
細長い形状の物体の左右両側同士を連結して梯子状に形成した物を吊り下げ可能に構成してなることを特徴とする吊り下げ小物。
【請求項２】
少なくとも、長方形状の複数の包みの左右両側同士を連結して梯子状に形成した物と、片結びしたサンと、を吊り下げ可能に構成してなることを特徴とする吊り下げ小物。
【請求項３】
前記の被包装物が記念品、縁起物または芳香を発する物質であることを特徴とする請求項２に記載の吊り下げ小物。
【発明の詳細な説明】
【０００１】
【産業上の利用分野】
本発明は、例えば携帯電話機などのストラップに吊り下げたり、キーホルダーに吊り下げたり、壁面などに吊り下げたりするのに適する吊り下げ小物に関する。
【０００２】
【従来の技術】
例えば携帯電話機などのストラップに吊り下げたり、キーホルダーに吊り下げたり、あるいは壁面や車内などに吊り下げたりするのに適する吊り下げ小物として、種々の製品が出回っている。
【０００３】しかしながら、従来のこの種の吊り下げ小物は、ある１個の果物などの形状をミニチュア化した物などの上端に紐などを付けて吊り下げ可能にした構成が多い。例えば、沖縄などの場合、特産品であるニガウリをミニチュア化した合成樹脂製品の一端を吊り下げ可能にした品物が土産物品店などで販売されている。
【０００４】
【発明が解決しようとする課題】
ところが、このように単品をミニチュア化しただけの物を吊り下げただけでは、何の変哲もなく単調なため、短期間に飽きてしまう、という欠点がある。
【０００５】また、ミニチュア化した物を吊り下げる場合でも、何か、お守り的な効力が有ったり、記念品や縁起物であったり、あるいは芳香を発するなど、単なる吊り下げ小物としての効果以外の効果を有する方が付加価値が高く、購買意欲をそそることになる。
【０００６】本発明の技術的課題は、このような問題に着目し、ミニチュア化した製品を効果的に吊り下げ可能とすると共に、お守りや記念品、縁起物としての効力もあり、また芳香を発することも可能な吊り下げ小物を実現することにある。
【０００７】
【課題を解決するための手段】
本発明の技術的課題は次のような手段によって解決される。請求項１は、細長い形状の物体の左右両側同士を連結して梯子状に形成した物を吊り下げ可能に構成してなることを特徴とする吊り下げ小物である。細長い形状の物体としては、例えばニガウリ（ゴーヤー）やヘチマ、バナナ、落花生などを、合成樹脂などでミニチュア化した物などが考えられる。枝状の珊瑚などの場合は、ミニチュア化しないで、実物をそのまま利用することもできる。なお、中空状体でもよい。
【０００８】このように、ニガウリやバナナ、落花生などをそのまま或いは中空状にミニチュア化したり、実物の珊瑚枝などのような細長い物体を複数本用意して、それらの左右両側同士を紐などで連結して梯子状に形成してあるので、単一の物を吊り下げるより、変化に富み、吊り下げている間も、複数のそれぞれの物体が揺れたりすることで、目立ち易い。
【０００９】したがって、可愛らしく、所持していることによって満足でき、優越感に浸ることもできる。そして、梯子状に複数連結されているため、吊り下げて使用するのに適している。中空状体の場合は、記念品や貴重品、香料などを収納して、常時携帯することもできる。
【００１０】請求項２は、少なくとも、長方形状の複数の包みの左右両側同士を連結して梯子状に形成した物と、片結びしたサンと、を吊り下げ可能に構成してなることを特徴とする吊り下げ小物である。各包みの中には、記念品や貴重品、香料などを収納してある。
【００１１】このように、長方形状の複数の包みの左右両側同士を連結して梯子状に形成した物は、請求項１のように細長い物体の左右両側同士を連結して梯子状に形成した場合と同様に、変化に富み、しかもそれぞれの物体が揺れたりすることで、目立ち易い。したがって、物珍しく、所持していることによって満足感に浸ることもできる。
【００１２】複数の包みには、何か珍しい物や貴重品などが入っているのではないかという期待感や好奇心をそそるので、所持している者の優越感をさらに満足させることができる。
【００１３】加えて、片結びしたサンも吊り下げ可能になっているので、片結びといった独特の結び方をしたサンを併用していることによって、一層好奇心をそそり、所持している者を満足させることができる。そして、このサンは、魔除けの効果が有ると言われているので、所持することによって、安心感を満たすことができる。
【００１４】請求項３は、請求項２に記載の被包装物が記念品、縁起物または芳香を発する物質であることを特徴とする吊り下げ小物である。
【００１５】このように、前記の被包装物が記念品、縁起物または芳香を発する物質であるため、各包みの中に記念品や縁起物などか包装されていることによって、常に大事な記念品や縁起物などを携帯できることで、精神的な満足感を満たすことができる。また、例えばハーブなどのような芳香を発する物を包装してあると、携帯している間に芳香が漂うため、セラピー効果をもたらすこともできる。
【００１６】
【発明の実施の形態】
次に本発明による吊り下げ小物が実際上どのように具体化されるか実施形態を説明する。図１は本発明による吊り下げ小物の実施形態を示す斜視図であり、複数個の細長い形状の物体１、２、３の左右両側同士を、紐材４、５で連結して梯子状に形成してある。
【００１７】すなわち、２本の紐材４、５をＵ字状に折り返し、折り返した両側の２本４、５同士を一旦結んで結び目６を形成してから、上下２本の紐材４、５間に細長い形状の物体１の左右両側を挟んでから、再度２本の紐材４、５同士を結んで結び目７を形成してある。したがって、片方の紐材４が、細長物体１の上側に位置し、他方の紐材５が、細長物体１の下側に位置している。
【００１８】そして、この結び目７に重ねてもう一段の結び目を形成し、さらにその上にもう一段の結び目８を形成してから、上下２本の紐材４、５間に、次の細長い形状の物体２の左右両側を挟んでから、再度２本の紐材４、５同士を結んで結び目９を形成してある。
【００１９】そして、この結び目９に重ねてもう一段の結び目を形成し、さらにその上にもう一段の結び目１０を形成してから、上下２本の紐材４、５間に、３本目の細長い形状の物体３の左右両側を挟んでから、再度２本の紐材４、５同士を結んで結び目１１を形成してある。
【００２０】この結び目１１に重ねて、もう一段の結び目を形成し、さらにその上にもう一段の結び目１２を形成してから、５〜１５ｍｍ程度残してから、その先を切除すると、図示のような構成になる。すなわち、細長い形状の物体１、２、３の左右両側同士を連結した梯子状に形成される。したがって、壁などの釘やフックｆに、この吊り下げ小物のＵ字状の折り返し部１３を引っ掛けて飾っておくことができる。
【００２１】細長い形状の物体１、２、３は、例えばニガウリ（ゴーヤー）やヘチマ、バナナ、トウモロコシ、落花生などをミニチュア化した物が挙げられる。あるいは、サトウキビのミニチュアでもよい。材質は、合成樹脂が適している。
【００２２】また、物体１はニガウリ、物体２はバナナ、物体３は落花生というように、異なる種類を用いてもよい。ミニチュア化した物でなく、初めから小物であれば、実物を用いてもよい。例えば、小さな枝珊瑚や芳香を発する植物の枝などを用いることもできる。なお、個数は３個に限られず、２本でもよいし、４本以上でもよい。
【００２３】物体１、２、３は、長方形や楕円その他の細長い形状の包みを用いてもよい。この包みの中には、記念品や縁起物、芳香を発する物質などを包む。長方形や楕円その他の細長い形状の容器であってもよい。内部は空洞になっていて、この空洞に、記念品や縁起物、芳香を発する物質などを収納する。中身の出し入れは、容器自体を２分割して開閉構造にしたり、茶筒のように蓋を着脱する構造などにする。
【００２４】図２は、細長い形状の物体１、２、３として、長方形状の包み１４を用いた実施形態である。この包み１４は、例えば図３に示すように、例えば長方形状や楕円状の布やビニール、紙などのようなシートの中央に被包装物１５を置いた状態で、破線Ｌ１、Ｌ２の部分から上側に折って、上下の面１４ａ、１４ｂを被包装物１５の上に折り重ねる。次に、破線Ｌ３、Ｌ４の部分から上側に折って、左右の面１４ｃ、１４ｄを被包装物１５の上に折り重ねる。
【００２５】このようにして被包装物１５を包んだ包み１４の左右両側を、図１の場合と全く同様な要領で、上下２本の紐材４、５間に挟んでから再度２本の紐材４、５同士を結ぶことによって、順次梯子状に連結していく。包み１４の中央の部分も紐１６などによって縛ると、包み１４が開いて内部の被包装物１５がこぼれ出したりする恐れがない。なお、紐１６の結び目や図１の最後の結び目１２は、ほつれないように、ボンドを塗布しておくのがよい。
【００２６】各細長物体１、２、３や各包み１４…の間隔は、結び目の数によって自由に設定できる。すなわち、図１のように結び目を３個にすると間隔を広くでき、図２のように結び目を２個にすると間隔を狭くできる。なお、間隔の設定は、結び目の個数以外の手法でも設定できることは、言うまでもない。
【００２７】１７は針金などで形成したリングであり、このリング１７に、前記のＵ字状に折り返した部分１３を縛りつけてある。すなわち、Ｕ字状に折り返した部分１３をリング１７中に挿入した状態で、図１のＵ字状に折り返した部分１３の内側の空間部１８中に物体１、２、３全部を挿通して、引き出すことによって、図２のように結び付けることができる。
【００２８】なお、図１のＵ字状に折り返した部分１３の内側の空間部１８中にリング１７の一端１７ａを挿入してから、折り返した部分１３をリング１７に沿って１周分移動させ、他端１７ｚから引き出すことによって、Ｕ字状の折り返し部１３とリング１７とを鎖交させることができる。この鎖交させて互いに連結する技術も図２のように結び付けて連結する技術も周知である。
【００２９】図３のように、シートの中央に被包装物１５を収納して前後、左右を折り重ねる包装技術は、沖縄地方においてカーサームーチーを包む場合に用いられる。包装材は、月桃の葉である。したがって、包み１４のシート材も、月桃の葉の実物を使用してもよいが、耐久性を考慮すると、布やビニール地などが適している。月桃の葉をイメージできるように、布やビニール地などの包装シートの色は緑色にするのがよい。
【００３０】したがって、緑色の布などのシートに被包装物１５を包んで、図示のように梯子状に連結して、紐材４、５で吊り下げると、沖縄の伝統文化を表現できる。その結果、沖縄土産などとしても利用できる。そして、被包装物１５としては、魔除けや縁起物として使用される島マース（沖縄産の自然塩）が適している。塩は、散乱しないようにビニールフィルムなどに包んだ状態で、包装する。
【００３１】なお、塩の他に、種々の記念品などを用いてもよい。旅先の記念品でもよいし、近親者や友人など、愛する者の形見などを入れておくこともできる。また、例えばハーブや香料などのような芳香を発する物質を入れて包装してもよい。
【００３２】本発明では、梯子状に連結した構造に加えて、沖縄文化の一つである「サン」も取付けてある。すなわち、図４のように、前記のリング１７にサン２０を結び付けてある。
【００３３】「サン」は、ススキの葉などを片結びしたもので、供物や弁当などに添えることによって、魔除けとして用いる。このサン２０をリング１７に結び付けておくことで、沖縄土産であることを表現でき、しかも魔除けにもなる。
【００３４】このサン２０も、実際にサンとして使用される植物の葉を用いることもできるが、耐久性を考えると、丈夫な紐やリボンなどを用いるのがよい。皮革や人工皮革、合成樹脂などを紐状ないし帯状に形成して用いることもできる。縁起物のヘビの皮を用いてもよい。このサン２０は、魔除けとしてだけでなく、飾りにもなる。
【００３５】図５は、本発明による吊り下げ小物の全容を示す斜視図であり、リング１７にサン２０と前記の梯子状物を結び付けて吊り下げ可能にしたものであり、吊り具１９も連結してある。また、結び付けてある小物の名称を記した名札２１も取付けてある。
【００３６】したがって、この吊り具１９を携帯電話機のストラップやキーホルダー、バッグなどに取付けることによって、吊り下げ小物として、使用できる。また、室内や車内に吊り下げてもよい。
【００３７】
【発明の効果】
請求項１のように、ニガウリやバナナ、落花生などをそのまま或いは中空状にミニチュア化したり、実物の珊瑚枝などのような細長い物体を複数本用意して、それらの左右両側同士を紐などで連結して梯子状に形成してあるので、単一の物を吊り下げるより、変化に富み、吊り下げている間も、複数のそれぞれの物体が揺れたりすることで、目立ち易い。
【００３８】したがって、可愛らしく、所持していることによって満足でき、優越感に浸ることもできる。そして、梯子状に複数連結されているため、吊り下げて使用するのに適している。中空状体の場合は、記念品や貴重品、香料などを収納して、常時携帯することもできる。
【００３９】請求項２のように、長方形状の複数の包みの左右両側同士を連結して梯子状に形成した物は、請求項１のように細長い物体の左右両側同士を連結して梯子状に形成した場合と同様に、変化に富み、しかもそれぞれの物体が揺れたりすることで、目立ち易い。したがって、物珍しく、所持していることによって満足感に浸ることもできる。
【００４０】複数の包みには、何か珍しい物や貴重品などが入っているのではないかという期待感や好奇心をそそるので、所持している者の優越感をさらに満足させることができる。
【００４１】加えて、片結びしたサンも吊り下げ可能になっているので、片結びといった独特の結び方をしたサンを併用していることによって、一層好奇心をそそり、所持している者を満足させることができる。そして、このサンは、魔除けの効果が有ると言われているので、所持することによって、安心感を満たすことができる。
【００４２】請求項３のように、前記の被包装物が記念品、縁起物または芳香を発する物質であるため、各包みの中に記念品や縁起物などか包装されていることによって、常に大事な記念品や縁起物などを携帯できることで、精神的な満足感を満たすことができる。また、例えばハーブなどのような芳香を発する物を包装してあると、携帯している間に芳香が漂うため、セラピー効果をもたらすこともできる。
【図面の簡単な説明】
【図１】細長い形状の物体を梯子状に連結した吊り下げ小物の実施形態を示す斜視図である。
【図２】長方形状の包みを梯子状に連結した吊り下げ小物の実施形態を示す斜視図である。
【図３】長方形状の包みの包み方を例示する平面図である。
【図４】リングに結び付けたサンの実施形態を示す斜視図である。
【図５】リングにサンや梯子状物などを結び付けてなる吊り下げ小物の全容を示す斜視図である。
【００００】
【符号の説明】
１・２・３　細長い形状の物体
４・５　紐材
６〜１２　結び目
１３　折り返し部
１４　長方形状の包み
１５　被包装物
１６　中間の紐
１７　リング
１９　吊り具
２０　サン
【図１】
2004042981.tif 000003
【図２】
2004042981.tif 000004
【図３】
2004042981.tif 000005
【図４】
2004042981.tif 000006
【図５】
2004042981.tif 000007